(57)【特許請求の範囲】
【請求項１】
新聞紙面に掲載予定のニュースの項目及び該当ニュースの記事量を記憶する掲載予定メモリと、
前記新聞紙面に掲載予定のニュース毎に、該当ニュースを構成する記事、画像等の実素材を記憶する実素材ファイルと、
前記新聞紙面における各ニュース枠の配置を示すラフレイアウトを登録するためのラフレイアウトメモリと、
前記ラフレイアウトを表示するとともに操作者の配置指定を受付けるＧＵＩと、
このＧＵＩを介して配置指定された前記掲載予定メモリの各ニュースに対する前記ラフレイアウト上のニュース枠を前記ＧＵＩに表示するとともに前記ラフレイアウトメモリに書込むラフレイアウト作成手段と
を備えた整理組版装置において、
前記ラフレイアウト作成手段は、
前記ラフレイアウト上にニュース枠を配置し、このニュース枠に対応するニュースの記事を前記実素材ファイルから読出して、該当ニュース枠内の該当領域に流し込むことによって該当記事を配置する実記事自動配置手段と、
前記ラフレイアウト上に配置したニュース枠に対応するニュースの記事が前記実素材ファイルに記憶されていないとき、前記掲載予定メモリに記憶されている該当ニュースの記事量分の特定文字のみで構成された仮想記事を該当ニュース枠内の隙間の領域に流し込むことによって該当仮想記事を配置する仮想記事自動配置手段と、
前記実素材ファイルに前記ラフレイアウト上に仮想記事が配置済みのニュース枠に対するニュースの実記事が書込まれると、該当実記事を読出して、該当ニュース枠内の隙間の領域に前記仮想記事に上書きするように流し込むことによって該当実記事を配置する仮想記事書換手段と
を有することを特徴とする整理組版装置。
【請求項２】
前記ラフレイアウト作成手段で前記各ニュース枠がラフレイアウト上に配置された後におけるニュース枠の配置を調整するニュース枠配置調整手段と、
このニュース枠配置調整手段にて配置が変更したニュース枠における実記事または仮想記事を再度自動的に前記隙間の領域に流し込むことによって該当記事を再配置する記事自動再配置手段と
を備えたことを特徴とする請求項１記載の整理組版装置。
【請求項３】
新聞紙面に掲載予定のニュースの項目及び該当ニュースの記事量に基づいて、操作者の配置指定を受付けるＧＵＩに表示された前記新聞紙面を示すラフレイアウト上に、各ニュース枠を配置指定することによって、ラフレイアウトを前記ＧＵＩ画面上で作成し、かつ前記各ニュース枠内に対応するニュースの記事を配置し、対応するニュースの記事が未着の場合、該当ニュース枠内に前記対応するニュースの記事量分の特定文字のみで構成された仮想記事を配置し、仮想記事が配置済みのニュース枠に対するニュースの実記事が到着すると、該当実記事を前記仮想記事に上書きすることによって該当実記事を配置することを特徴とするラフレイアウト作成方法。
【発明の詳細な説明】
【０００１】
【発明の属する技術分野】
本発明は、新聞の製作過程において、新聞紙面に効率的に各ニュースを割付けていく整理組版装置、及び新聞紙面に各ニュースを概略的に割付けるラフレイアウト方法に関する。
【０００２】
【従来の技術】
新聞社においては、図１５に示すように、通信社や支店や支局や記者やカメラマンから入力された各記事や各画像（写真）は編集局１へ持込まれる。また、記事や画像は直接モニタで持込まれる場合もある。そして、整理デスク（編集責任者）２によって、どのニュースを新聞紙面に掲載するかが決定され、掲載予定表３に書込まれる。掲載ニュースの項目及び該当ニュースの記事量（行数）が書込まれた掲載予定表３は、この編集局１内の整理面担当４に手渡される。整理面担当４は、整理デスク２から受領した掲載予定表３に基づいて、新聞紙面と同一大きさを有した割付用紙５に例えば鉛筆等を用いて手作業で各ニュース枠を割付けていく。
【０００３】
図１６（ａ）は割付用紙５に各ニュース枠６が割付けられた状態を示す図である。整理面担当４は、各ニュースにおける見出７や写真８の位置や記事９の量（行数）を考慮してニュース枠６の大きさ及び配置を決定する。この概略のニュース枠６が配置された状態をラフレイアウトと称する。
【０００４】
このようにして、整理面担当４にて割付用紙５上に作成されたラフレイアウトは次の制作部１０へ手渡される。制作部１０の紙面制作担当１１は、受領した割付用紙５上に記載されたラフレイアウトに従って実際の新聞紙面を制作する。この場合、コンピュータからなる制作端末の表示画面上に、ラフレイアウトを参照しながら、実際の見出しや実際の記事や実際の写真を入力していく。そして、図１６（ｂ）に記す新聞の１画面分の大組１２を作成する。なお、この時点で、ニュース以外の予め制作されているコラム記事や広告も挿入する。
【０００５】
【発明が解決しようとする課題】
しかしながら、上述した手法で新聞紙面を作成する場合においては、割付用紙５上に鉛筆等を用いた手作業で各ニュースに対するラフレイアウトを作成する編集局１の整理面担当４は、新規のニュースが入り、掲載ニュースの差替えが発生すると、その都度、割付用紙５上に鉛筆等で描かれているニュース枠６を消して、ニュース枠６の再調整を実施する必要がある。
【０００６】
また、最新のニュースには、ニュースの項目と記事の量だけ編集局１へ入信して、実際の記事は後から配信される場合がある。このような場合、整理面担当４は、ニュースの項目と記事の量だけを参照して、必要なニュース枠６をラフレイアウト上に設定する。
【０００７】
この場合、後から配信されてくる記事の量が先に入信した記事の量と一致しない場合が多々ある。このような場合、整理面担当４は、一致しない差の記事量に応じて、一旦書込んだニュース枠６を微調整する必要がある。この記事量に応じてニュース枠６内の見出しや写真を移動させる場合、物差しでニュース枠６内の隙間を測り、記事の量を計算しなおすという非常に煩雑な作業を実施する必要がある。
【０００８】
このように、従来の整理面担当４の手作業での新聞紙面に対するラフレイアウトの作成作業に多大の手間と時間が必要であり、編集局１及び制作部１０における全体の紙面作成効率が低下する問題があった。
【０００９】
本発明はこのような事情に鑑みてなされたものであり、コンピュータのＧＵＩ（グラフィカル・ユーザ・インタフェース）の表示画面上でラフレイアウトを作成することによって、ラフレイアウトの各ニュース枠を設定すると同時に該当ニュースの実素材を該当ニュース枠へ簡単に配置させることができ、かつ、たとえニュース枠の設定時に実記事がなくても、一連のラフレイアウトを継続して作成でき、ラフレイアウトの作成作業能率を大幅に向上でき、同時に省人化も図ることができる整理組版装置及びラフレイアウト作成方法を提供することを目的とする。
【００１０】
【課題を解決するための手段】
上記課題を解消するために本発明は、新聞紙面に掲載予定のニュースの項目及び該当ニュースの記事量を記憶する掲載予定メモリと、新聞紙面に掲載予定のニュース毎に、該当ニュースを構成する記事、画像等の実素材を記憶する実素材ファイルと、新聞紙面における各ニュース枠の配置を示すラフレイアウトを登録するためのラフレイアウトメモリと、ラフレイアウトを表示するとともに操作者の配置指定を受付けるＧＵＩと、このＧＵＩを介して配置指定された掲載予定メモリの各ニュースに対するラフレイアウト上のニュース枠をＧＵＩに表示するとともにラフレイアウトメモリに書込むラフレイアウト作成手段とを備えた整理組版装置において、
ラフレイアウト作成手段は、ラフレイアウト上にニュース枠を配置し、このニュース枠に対応するニュースの記事を実素材ファイルから読出して、該当ニュース枠内の該当領域に流し込むことによって該当記事を配置する実記事自動配置手段と、ラフレイアウト上に配置したニュース枠に対応するニュースの記事が実素材ファイルに記憶されていないとき、掲載予定メモリに記憶されている該当ニュースの記事量分の特定文字のみで構成された仮想記事を該当ニュース枠内の隙間の領域に流し込むことによって該当仮想記事を配置する仮想記事自動配置手段と、実素材ファイルにラフレイアウト上に仮想記事が配置済みのニュース枠に対するニュースの実記事が書込まれると、該当実記事を読出して、該当ニュース枠内の隙間の領域に仮想記事に上書きするように流し込むことによって該当実記事を配置する仮想記事書換手段とを有する。
【００１１】
このように構成された整理組版装置においては、操作者は、掲載予定メモリに記憶された掲載予定のニュースの項目及び該当ニュースの記事量を参照して、ＧＵＩ（グラフィカル・ユーザ・インタフェース）に表示されたラフレイアウト上に各ニュース枠を順次設定していけばよい。すると、各ニュース枠が設定されたラフレイアウトはラフレイアウトメモリに記憶される。
【００１２】
このように、コンピュータのＧＵＩの表示画面上でラフレイアウトを作成しているので、簡単に、設定済みのニュース枠を変更できる。よって、ラフレイアウトの作成者の作業負担を大幅に軽減できる。
【００１３】
また、作成されたラフレイアウトはラフレイアウトメモリに書込まれる。よって、このラフレイアウトメモリをそのまま次の制作部へ転送すれば、制作部の新聞紙面の制作作業量を大幅に削減できる。
【００１７】
さらに、ラフレイアウト上に配置されたニュース枠内に配置する記事は、該当ニュース枠内の該当領域に流し込むように自動的に配置される。よって、操作者は記事をニュース枠内に配置する場合にＧＵＩ上における詳細な位置指定を実施する必要がない。
【００１９】
また、たとえ、掲載予定メモリに記憶されたニュース項目のうち、実際の記事が未着であっても、ラフレイアウト上に配置された該当ニュースのニュース枠内に仮想記事が配置されるので、ラフレイアウト上にデータが存在しない空欄が発生することが防止され、ラフレイアウトの作成作業能率が向上する。
【００２１】
さらに、記事が未着で該当ニュースのニュース枠内に仮想記事を配置した後において、該当ニュースの実記事が入信されると、この仮想記事が簡単に実記事に書換わる。
【００２２】
さらに、別の発明においては、上述した整理組版装置に対して、ラフレイアウト作成手段で各ニュース枠がラフレイアウト上に配置された後におけるニュース枠の配置を調整するニュース枠配置調整手段と、ニュース枠配置調整手段にて配置が変更したニュース枠における実記事または仮想記事を再度自動的に隙間の領域に流し込むことによって該当記事を再配置する記事自動再配置手段とを付加している。
【００２３】
このように構成された整理組版装置においては、各ニュース枠内に対して実際の見出しや画像や記事を配置した場合に、ニュース枠内に隙間が生じたり、ニュース枠に不足が生じた場合や、掲載ニュースの差替え（変更）が生じた場合は、ニュース枠自体の調整を実施する必要がある。
【００２４】
そして、操作者がニュース枠の調整を実施すると、該当ニュース枠における実記事または仮想記事が再度自動的に隙間の領域に流し込まれて該当記事が再配置される。
【００２５】
また、別の発明のラフレイアウト作成方法においては、新聞紙面に掲載予定のニュースの項目及び該当ニュースの記事量に基づいて、操作者の配置指定を受付けるＧＵＩに表示された新聞紙面を示すラフレイアウト上に、各ニュース枠を配置指定することによって、ラフレイアウトをＧＵＩ画面上で作成し、かつ各ニュース枠内に対応するニュースの記事を配置し、対応するニュースの記事が未着の場合、該当ニュース枠内に対応するニュースの記事量分の特定文字のみで構成された仮想記事を配置し、仮想記事が配置済みのニュース枠に対するニュースの実記事が到着すると、該当実記事を仮想記事に上書きすることによって該当実記事を配置する。
【００２６】
このように構成されたラフレイアウト作成方法においては、上述した整理組版装置と同様に、たとえ、ニュースにおける実際の記事が未着であっても、ラフレイアウト上に配置された該当ニュースのニュース枠内に仮想記事が配置されるので、ラフレイアウト上にデータが存在しない空欄が発生することが防止され、ラフレイアウトの作成作業能率が向上する。
【００２７】
【発明の実施の形態】
以下本発明の一実施形態を図面を用いて説明する。
図１は実施形態のラフレイアウト作成方法が採用された整理組版装置が組込まれた新聞社の新聞紙面を作成する新聞紙面作成システムの概略構成図である。
【００２８】
新聞社内に敷設された基幹ＬＡＮ２１に対して、素材管理システム２２と整理組版サーバ２３と紙面出力システム２４とが接続されている。整理組版サーバ２３に対し複数の整理組版装置２５が接続されている。
【００２９】
素材管理システム２２及び各整理組版装置２５は新聞社における編集局に配設されており、紙面出力システム２４は制作部に配設されている。
素材管理システム２２においては、図２に示すように、外部通信社２６や支社・支局２７から入信したニュースが受信端末２８で受信され、受信したニュースの記事は記事管理サーバ２９へ登録される。また、受信したニュースの写真等の画像は画像管理サーバ３０へ登録される。
【００３０】
また、記者３１が取材したニュースの記事は記事入力端末３２を介して記事管理サーバ２９へ登録される。さらに、写真記者（カメラマン）が撮影した写真はスキャナ３３で読取られて、画像入力端末３５を介して画像管理サーバ３０へ登録される。また、画像部員が作図端末３４で作成したグラフや図の画像は画像入力端末３５を介して画像管理サーバ３０へ登録される。
【００３１】
編集局の整理デスクは記事管理サーバ２９に登録された多数のニュースのうち新聞紙面に掲載すベきニュースを選択する。記事管理サーバ２９は、整理デスクにて選択されたニュースの実際の記事、すなわち実記事を実素材ファイル３７へ書込む。掲載予定表は、整理デスクにより、出稿メモ、共同メモを参考に作成され、掲載予定表メモリ３６へ登録される。
【００３２】
したがって、この掲載予定表メモリ３６内には、図７に示すように、掲載予定の各ニュースの項目（仮見出し）と、記事の行数と、写真や図等の画像の採用の有無と、該当ニュースの掲載位置等の情報が登録される。
【００３３】
なお、編集局の整理デスクは重要なニュースの場合、たとえ実際の記事が入信されていない場合であっても、該当ニュースのニュース項目と記事の行数を掲載すべしと指定する場合もある。
【００３４】
また、整理デスクは選択したニュースに採用する画像を画像管理サーバ３０に指定する。画像管理サーバ３０は指定された画像を実素材ファイル３７へ書込む。したがって、この実素材ファイル３７内には、掲載予定の各ニュース毎に、該当ニュースの実際の記事や写真や図等の画像が記憶される。
【００３５】
この掲載予定表メモリ３６及び実素材ファイル３７は基幹ＬＡＮ２１及び整理組版サーバ２３を介して整理組版装置２５へファイル転送される。
図３は整理組版サーバ２３に接続された各整理組版装置２５の概略構成を示すブロック図である。この整理組版装置２５はコンピュータ等の一種の情報処理装置で構成されている。
【００３６】
そして、前記素材管理システム２２からファイル転送された掲載予定表メモリ３６、実素材ファイル３７の他に、ＣＲＴ表示装置とキーボートやマウス等からなるＧＵＩ（グラフィカル・ユーザ・インタフェース）３８と、ＧＵＩ３８の表示画面上で作成されたラフレイアウト３９を記憶するラフレイアウトメモリ４０、及びラフレイアウト３９上に配置済みの各素材の一覧を記憶する配置済素材一覧メモリ４１等がＲＡＭ等の主記憶部またはＨＤＤ等の補助記憶装置内に形成されている。
【００３７】
また、整理組版装置２５内には、ＨＤＤ等等の記録媒体に記録されたアプリケーションプログラム上にプログラムモジュールとして形成された、ラフレイアウト作成部６０、仮想記事書替部６１、ニュース枠配置調整部６２、及び記事再配置部６３が形成されている。さらに、ラフレイアウト作成部６０内には、ニュース枠配置部６４、実記事自動配置部６５、仮想記事自動配置部６６が設けられている。
【００３８】
図４は前記ＧＵＩ３８の表示画面４２に表示された表示メニュー画面を示す図である。表示画面４２の上方位置に多数の機能ボタンが配設されたツールバー４３が表示されている。操作者としての編集局の整理面担当は、このツールバー４３の各機能ボタンをマウスでクリックすることによって、該当機能ボタンに表記された機能を実行させることができる。
【００３９】
この表示画面４２の中央部には新聞紙面のラフレイアウト３９を表示するためのレイアウトエリア４４が形成されており、このレイアウトエリア４４の右側には、前記記載予定表メモリ３６の記憶内容を表示するための掲載予定表示画面４５、前記配置済素材一覧メモリ４１の配置済素材一覧を表示する領域、及び未配置済素材一覧を表示する領域４７が形成されている。さらに、レイアウトエリア４４の左側には、新聞紙面イメージ４６が表示される。
【００４０】
そして、掲載予定表メモリ３６に図７に示すように掲載予定の各ニュースのニユース項目（見出し）とニュースの記事の行数等の情報が登録されて、実素材ファイル３７に掲載予定の各ニュースの記事や画像の素材が書込まれた状態で、編集局の整理面担当は、整理組版２５を用いて新聞紙面に対する各ニュースの割付作業、すなわちラフレイアウト作成作業を実施する。
【００４１】
そして、整理組版２５は編集局の整理面担当におけるＧＵＩ３８を用いたニュースに対する配置操作に応じて、図５及び図６の流れ図に示すラフレイアウト作成処理を実行する。
【００４２】
先ず、整理面担当がツールバー４３の［レイアウト／大組］ボタンを押すと、新聞紙面全体のラフレイアウト３９をＣＵＩ３８の表示画面４２のレイアウトエリア４４へ表示出力する（Ｓ１）。この状態においては、ラフレイアウト３９にはまだニュース枠は設定されていない。そして、ラフレイアウト作成部６０のニュース枠配置部６４が起動して、図７に示すように、表示画面４２の右側の掲載予定表示画面４５に掲載予定表メモリ３６の記憶内容を表示する。
【００４３】
そして、整理面担当は表示された掲載予定表メモリ３６の各ニュース項目のうち一つのニュース項目をマウスでクリックして指定する（Ｓ２）。次に整理面担当は、図７に示すように、表示画面４２のレイアウトエリア４４に表示されているラフレイアウト３９上にカーソル及びマウスで矩形のニュース枠４８を配置する。この場合、整理面担当は掲載予定表メモリ３６の該当ニュース項目の重要性や画像の有無、見出しの大きさ、記事の量（行数）等を考慮して、ニュース枠４８の大きさと位置とを決める（Ｓ３）。そして、この配置したニュース枠４８をラフレイアウトメモリ４０へ書込む（Ｓ４）。
【００４４】
ニュース枠４８のラフレイアウト３９上における配置処理が終了すると、図８に示すように、表示画面４２上の領域４７に、素材属性指定画面４９を表示する。また、図９に示すように、先に設定した該当ニュースのニュース枠４８を拡大してレイアウトエリア４４一杯に表示する（Ｓ５）。この状態においては、先に配置されたニュース枠４８はレイアウトエリア４４の左側に表示される。
【００４５】
図８に示す素材属性指定画面４９は、図示するように、先に選択したニュース項目（仮見出し）のニュース枠４８内に配置する［本文］［前分］［箱］［見出］［画像］［写説］等の素材を指定する選択メニューである。整理面担当はマウスで各素材を指定して、該当素材のニュース枠４８内の配置をカーソルとマウスで設定できる。
【００４６】
そして、整理面担当は最初にマウスで［見出］を指定して、図９に示すように、表示画面４２のレイアウトエリア４４に表示されているラフレイアウト３９の該当ニュース枠４８内に矩形の見出位置（領域）５０をカーソル及びマウスで設定する（Ｓ６）。そして、整理面担当は、レイアウトエリア４４の左側の（見出し作成）ツールを用いて、該当ニュース枠４８内に見出し文字をキーボードを用いて書込む。
【００４７】
このニュース枠４８内に設定された見出位置（領域）５０及び見出し文字をラフレイアウトメモリ４０へ書込む（Ｓ７）。なお、図１１に示すように、ニュース枠４８内に複数の見出位置（領域）５０を指定することも可能である。
【００４８】
次に、整理面担当がマウスで［前文］を指定して、図１１に示すように、ラフレイアウト３９の該当ニュース枠４８内に矩形の前文位置（領域）５１をカーソル及びマウスで設定すると（Ｓ８）、この設定された前文位置（領域）５１をラフレイアウトメモリ４０へ書込む（Ｓ９）。
【００４９】
さらに、整理面担当がマウスで［画像］を指定して、図１１に示すように、ラフレイアウト３９の該当ニュース枠４８内に矩形の画像位置（領域）５２をカーソル及びマウスで設定すると（Ｓ１０）、この設定された画像位置（領域）５２をラフレイアウトメモリ４０へ書込む（Ｓ１１）。そして、この時点で、実素材ファイル３７から該当ニュースに採用する実際の画像データを読出してこの画像位置（領域）５２に書込む。
【００５０】
見出位置５０、前文位置５１，画像位置５２の該当ニュース枠４８内への設定操作が終了すると、整理面担当はマウスで［本文］を指定し、図１１に示すようにカーソルを記事の開始位置に設定して、実行キーを押す。すると、ラフレイアウト作成部６０の実記事自動配置部６５が起動して、実素材ファイル３７に該当ニュースの実記事が記憶されていた場合（Ｓ１２）、この実記事を実素材ファイル３７から読出して（Ｓ１３）、図１２に示すように、該当ニュース枠４８内の見出位置５０、前文位置５１、画像位置５２以外の隙間に流し込む（Ｓ１４）。具体的には、図１２に示すように、カーソル指定された開始位置から隙間の各段に記事を順番に埋めていく。
【００５１】
なお、Ｓ１２において、実素材ファイル３７に該当ニュースの実記事が未だ記憶されていない場合は、ラフレイアウト作成部６０の仮想記事自動配置部６６が起動して、記載予定表メモリ３６の該当ニュース項目の記事量（行数）を読出す（Ｓ１６）。そして、この記事量（行数）分の例えば［Ｘ］等の特定文字のみで構成された仮想記事を作成する。そして、この仮想記事を該当ニュース枠４８内の見出位置５０、前文位置５１、画像位置５２以外の隙間に実記事と同じ手法で流し込む（Ｓ１７）。
【００５２】
このように、実記事又は仮想記事が配置された記事位置５３をラフレイアウトメモリ４０へ書込む。
この状態においては、図１３に示すように、表示画面４２におけるレイアウトエリア４４の右側に表示される配置済み素材一覧メモリ４１には、該当ニュース枠４８内に設定された見出位置５０、前文位置５１，画像位置５２、記事位置５４の各配置済み面積が記憶される。
【００５３】
以上で、掲載予定表メモリ３６に登録された一つのニュース項目に対するラフレイアウト３９に対する配置処理が終了したので、掲載予定表メモリ３６に未だ未配置のニュース項目が存在するか否かを調べて（Ｓ１８）、存在すれば、Ｓ１へ戻り、次のニュース項目に対する配置処理を開始する。
【００５４】
Ｓ１８にて、掲載予定表メモリ３６に登録されている全てのニュース項目のラフレイアウト３９に対する配置処理が終了すると、図６のＳ１９へ進み、新聞紙面全体のラフレイアウト３９をレイアウトエリア４４に表示する。
【００５５】
そして、整理面担当がレイアウトエリア４４に表示された新聞紙面全体のラフレイアウト３９を観察して、作成したラフレイアウト３９に修正を加える必要が生じた場合は（Ｓ２０）、整理面担当が修正すべきニュース枠４８をマウスで指定する（Ｓ２１）。すると、ニュース枠配置調整部６２が起動して、指定したニュース枠４８の境界線を例えばマウスのドラッグ操作で移動させることによって、該当ニュース枠４８の配置の修正操作を実施する（Ｓ２２）。
【００５６】
例えば、図１２に示すニュース枠４８においては、記事を流したが、記事位置５３がニュース枠４８内の隙間が大きくて空き領域が多く発生した。このような場合は、ニュース枠４８の左側の境界線を右方向へ移動させる修正操作を実施する必要がある。
【００５７】
該当ニュース枠４８の配置の修正操作が終了すると、記事再配置部６３が起動して、このニュース枠４８に配置済みの実記事または仮想記事を、再度、修正済みのニュース枠４８内の既に配置済みの見出位置５０，前文位置５１，画像位置４２以外の隙間に流し込むことによって、該当記事の再配置を自動実施する（Ｓ２３）。
【００５８】
そして、修正後のニュース枠４８、修正後の記事位置（領域）５３をラフレイアウトメモリ４０へ登録する（Ｓ２４）。
一つのニュース枠４８の修正処理が終了すると、Ｓ２０へ戻り、整理面担当は他に修正すべきニュース枠４８が存在するか否かを判断する。
【００５９】
なお、一般的に、一つのニュース枠４８の配置を修正すると、隣接するニュース枠４８の配置も修正する必要があるので、複数回のニュース枠４８の修正処理を実施する必要がある。
【００６０】
また、Ｓ２５にて、実素材ファイル３７に対して、既にラフレイアウト３９にニュース枠４８が配置され、かつ仮想記事が配置されているニュース項目に対する実記事が書込まれると、仮想記事書換部６１が起動して、実素材ファイル３７から該当ニュースの実記事のデータを読出す（Ｓ２６）。
【００６１】
そして、ラフレイアウト３９上の該当ニュースに対応するニュース枠４８内の既に配置済みの見出位置５０，前文位置５１，画像位置４２以外の隙間に、既に配置済みの仮想記事に上書きするように流し込むことによって、仮想記事を実記事に置換える仮想記事書換処理を実施する（Ｓ２７）。
【００６２】
一つの仮想記事に対する実記事への書換処理が終了すると、Ｓ２０またはＳ２５へ戻り、ラフレイアウト３９の修正または新規の実記事の入力があるか否かを調べる。なお、仮想記事の量（行数）と後から配信された実記事の量（行数）とが大きく異なる場合は、実記事に書換した後に、該当ニュース枠４８を再度調整する必要が生じる。
【００６３】
全ての仮想記事が実記事に置換えられ、全てのニュース枠４８に対する修正処理が終了すると、この整理組版装置２５を用いたラフレイアウト作成処理を終了する。
【００６４】
このラフレイアウト作成処理が終了した時点におけるＧＵＩ３８の表示画面４２のレイアウトエリア４４には、図１４に示すように、見出し、前文、画像、記事が書込まれた全てのニュース枠４８が配置されたラフレイアウト３８が表示される。
【００６５】
このようにして作成されたラフレイアウト３９はラフレイアウトメモリ４０に書込まれた状態で次の紙面出力システム２４へ転送される。紙面出力システム２４が配置された制作部においては、整理組版装置２５から転送されたラフレイアウト３９に対して、予め準備されているコラム記事や広告を配置して大組を制作する。
【００６６】
このように構成された整理組版装置及びラフレイアウト作成方法においては、編集局の整理面担当は、整理デスクが選択した掲載予定表メモリ３６に記憶された掲載予定のニュースの項目及び該当ニュースの記事量を参照して、ＧＵＩ（グラフィカル・ユーザ・インタフェース）の表示画面４２のレイアウトエリア４４に表示されたラフレイアウト３９上に各ニュースに対するニュース枠４８を順次設定していけばよい。
【００６７】
また、ラフレイアウト３９上に配置されたニュース枠４８内に、該当ニュースの見出や前文や湯実素材ファイル３７から読出された画像及び記事を配置することができ、ラフレイアウト３９をより実際の新聞紙面に近い状態に仕上げることができる。
【００６８】
さらに、ラフレイアウト３９上に配置されたニュース枠４８内に配置する記事は、該当ニュース枠４８内の少なくとも見出位置５０、前文位置５１、画像位置５２を除く隙間の領域に流し込むように自動的に配置される。
【００６９】
よって、整理面担当は、記事をニュース枠４８内に配置する場合にラフレイアウト３９上における詳細な位置指定を実施する必要がない。
さらに、たとえ、掲載予定表メモリ３６に記憶されたニュース項目のうち、実際の記事が未着であっても、ラフレイアウト３９上に配置された該当ニュースのニュース枠４８内に仮想記事が配置されるので、ラフレイアウト３９上にデータが存在しない空欄が発生することが防止され、ラフレイアウト３９の作成作業能率が向上する。そして、後から、該当ニュースの実記事が入信されると、この仮想記事が簡単に実記事に書換わる。
【００７０】
さらに、整理面担当は、ラフレイアウト３９上の各ニュース枠４８内に対して実際の見出しや画像や記事を配置したところ、ニュース枠４８内に隙間が生じたり、ニュース枠４８に不足が生じた場合や、掲載ニュースの差替え（変更）が生じた場合においては、ラフレイアウト３９上でマウスを用いて簡単にニュース枠４８の配置を調整できる。
【００７１】
そして、整理面担当が、ラフレイアウト３９上のニュース枠４８の調整を実施すると、該当ニュース枠４８内における実記事または仮想記事が再度隙間の領域に流し込まれて該当記事が再配置される。
【００７２】
このように、各ニュースのニュース枠４８及び該当ニュース枠４８内に書込む見出しや画像や記事をラフレイアウト３９上で同時に配置している。そして、このようにＧＵＩ３８の表示画面４２上で作成されたラフレイアウト３９はそのままラフレイアウトメモリ４０に書込まれる。
【００７３】
よって、このラフレイアウトメモリ４０をそのまま次の制作部へ転送すれば、制作部の新聞紙面の制作作業量を大幅に削減できる。したがって、制作部の省人化を図ることができる。
【００７４】
このように、ラフレイアウト３９の作成作業能率を大幅に向上できると共に、作成作業時間を大幅に短縮でき、かつ制作部の新聞紙面の制作作業時間も大幅に短縮できる。よって、新聞紙面の作成時間を短縮でき、重大なニュースを短時間で新聞紙面に印刷できる。すなわち、ニュースの締切り時刻をより新聞発行時刻に近ずけることができる。
【００７５】
【発明の効果】
以上説明したように本発明の整理組版装置及びラフレイアウト作成方法においては、コンピュータのＧＵＩ（グラフィカル・ユーザ・インタフェース）の表示画面上でラフレイアウトを作成している。
【００７６】
したがって、ラフレイアウトの各ニュース枠を設定すると同時に該当ニュースの実素材を該当ニュース枠へ簡単に配置させることができ、かつ、簡単に配置済のニュース枠を修正でき、しかも記事をニュース枠と各素材との隙間に自動的に流し込むことによって記事を配置でき、ラフレイアウトの作成作業能率を大幅に向上でき、同時に省人化も図ることができる。
【００７７】
また、記事が未着のニュースに対しては、ラフレイアウト上に形成されるニュース枠内に実際の記事の代りにとりあえず仮想記事を配置して、ラフレイアウトの作成を継続して、実記事が到着した時点で仮想記事を実記事に書換えるようにしている。よって、より効率的にラフレイアウトを作成できる。
【図面の簡単な説明】
【図１】本発明の一実施形態のラフレイアウト作成方法を採用した整理組版装置が組込まれた新聞紙面作成システムの概略構成図
【図２】同新聞紙面作成システムにおける素材管理システムの概略構成を示すブロック図
【図３】同新聞紙面作成システムにおける整理組版装置の概略構成を示すブロック図
【図４】同整理組版装置のＧＵＩの表示画面の表示内容を示す図
【図５】同整理組版装置におけるラフレイアウト作成処理動作を示す流れ図
【図６】同じく同整理組版装置におけるラフレイアウト作成処理動作を示す流れ図
【図７】同整理組版装置における表示画面に表示された掲載予定表メモリの記憶内容を示す図
【図８】同表示画面に表示された素材属性指定画面を示す図
【図９】同表示画面に表示されたニュース枠及び見出位置を示す図
【図１０】同表示画面に表示された素材属性指定画面を示す図
【図１１】同表示画面に表示されたニュース枠、見出位置及び画像位置を示す図
【図１２】同表示画面に表示されたニュース枠、見出位置、画像位置及び流し込まれた記事を示す図
【図１３】同表示画面に表示されたラフレイアウト、掲載予定表及び配置済み素材一覧を示す図
【図１４】同表示画面に表示された作成済みのラフレイアウトを示す図
【図１５】従来の編集局と制作部との作業分担を示す図
【図１６】従来の編集局で作成されたラフレイアウトと制作部で作成された新聞紙面を示す図
【符号の説明】
２５…整理組装置
３６…掲載予定表メモリ
３７…実素材ファイル
３８…ＧＵＩ
３９…ラフレイアウト
４０…ラフレイアウトメモリ
４１…配置済素材一覧メモリ
４２…表示画面
４４…レイアウトエリア
４８…ニュース枠
５０…見出位置
５１…前文位置
５２…画像位置
５３…記事位置
６０…ラフレイアウト作成部
６１…仮想記事書換部
６２…ニュース枠配置調整部
６３…記事再配置部
６４…ニュース枠配置部
６５…実記事自動配置部
６６…仮想記事自動配置部
【図１】
0003625363.tif 000002
【図２】
0003625363.tif 000003
【図３】
0003625363.tif 000004
【図４】
0003625363.tif 000005
【図５】
0003625363.tif 000006
【図６】
0003625363.tif 000007
【図７】
0003625363.tif 000008
【図８】
0003625363.tif 000009
【図９】
0003625363.tif 000010
【図１０】
0003625363.tif 000011
【図１１】
0003625363.tif 000012
【図１２】
0003625363.tif 000013
【図１３】
0003625363.tif 000014
【図１４】
0003625363.tif 000015
【図１５】
0003625363.tif 000016
【図１６】
0003625363.tif 000017